(57)【要約】      （修正有）【課題】機器の大型化を抑えて、電気配線へのストレスを軽減させる。【解決手段】ベース部材２０１と、前記ベース部材と第１の回動軸２０９を介して連結され、前記第１の回動軸を中心にして前記ベース部材と相対的に回動可能な第１の可動部と、前記第１の可動部と第２の回動軸２１０を介して連結され、前記第２の回動軸を中心にして前記第１の可動部と相対的に回動可能な第２の可動部と、制御基板と、前記第２の可動部と前記制御基板とに接続された電気配線と、前記制御基板における前記電気配線が接続される面の反対側に延出し前記電気配線を押さえる押さえ部材２１６と、を有する。【選択図】図５
2019200246.tif 000002
【特許請求の範囲】
【請求項１】
ベース部材と、
前記ベース部材と第１の回動軸を介して連結され、前記第１の回動軸を中心にして前記ベース部材と相対的に回動可能な第１の可動部と、
前記第１の可動部と第２の回動軸を介して連結され、前記第２の回動軸を中心にして前記第１の可動部と相対的に回動可能な第２の可動部と、
制御基板と、
前記第２の可動部と前記制御基板とに接続された電気配線と、
前記制御基板における前記電気配線が接続される面の反対側に延出し前記電気配線を押さえる押さえ部材と、を有することを特徴とする電子機器。
【請求項２】
前記押さえ部材は、前記制御基板への前記電気配線の接続方向と直交する方向における一方の端が固定されていないことを特徴とする請求項１に記載の電子機器。
【請求項３】
前記押さえ部材は、円弧形状の凸部にて前記電気配線を押さえることを特徴とする請求項１または２に記載の電子機器。
【請求項４】
前記制御基板は、切欠き部が設けられていて、
前記押さえ部材は、前記切欠き部の位置にて前記制御基板における前記電気配線が接続される面の反対側に延出していることを特徴とする請求項１ないし３のいずれか１項に記載の電子機器。
【請求項５】
前記押さえ部材は、弾性的に前記電気配線を押さえることを特徴とする請求項１ないし４のいずれか１項に記載の電子機器。
【請求項６】
前記第１の可動部は、前記電気配線をガイドし、
前記押さえ部材は、前記第１の可動部及び前記第２の可動部が前記電子機器の本体部に収納された位置に位置する状態において、前記第１の可動部と前記制御基板との間の前記電気配線の形状がＳ字形状となるように前記電気配線を押さえることを特徴とする請求項１ないし５のいずれか１項に記載の電子機器。
【請求項７】
前記第１の可動部は、前記第１の可動部及び前記第２の可動部が前記電子機器の本体部に収納された位置に位置する状態において、前記制御基板への前記電気配線の接続方向と略直交する方向に前記電気配線をガイドすることを特徴とする請求項１ないし６のいずれか１項に記載の電子機器。
【請求項８】
前記第２の可動部は発光手段を有し、
前記制御基板は、前記発光手段を制御する基板であることを特徴とする請求項１ないし７のいずれか１項に記載の電子機器。
【請求項９】
前記第２の可動部は表示手段を有し、
前記制御基板は、前記表示手段を制御する基板であることを特徴とする請求項１ないし７のいずれか１項に記載の電子機器。
【発明の詳細な説明】
【技術分野】
【０００１】
本発明は、収納位置から回動可能に取り付けられた可動部材を有する電子機器に関する。
【背景技術】
【０００２】
従来より、撮影を行う際に被写体を照射する発光装置を内蔵した撮像装置がある。また、撮影レンズの高倍化や広角化に伴い、発光装置を本体部に対して回動可能に支持し、発光時には発光装置を収納位置から所定の位置まで移動させて発光させる、所謂ポップアップ機構を有する撮像装置がある。ポップアップ機構により発光装置を撮影レンズの光軸から遠ざけることで、照射光が撮影レンズに遮られることなく被写体を照射できる。
【０００３】
このようなポップアップ機構を有する撮像装置では、発光装置と、本体内部に配置された発光制御基板を接続するフレキシブル基板が設けられている。フレキシブル基板に必要とされる長さは、発光装置が収納位置に位置する状態と、発光装置が発光位置に位置する状態とで、それぞれ異なる。一般に、フレキシブル基板に必要とされる長さは発光位置に位置する状態の方が長く、収納位置に位置する状態のときは、フレキシブル基板の余長分を本体内部で吸収するスペースが必要となる。このスペースが十分に確保できていない場合、フレキシブル基板の曲率が大きくなる等、無理な曲がり方によるストレスで信号線の断線が発生する可能性がある。そのため、ポップアップ機構を構成する部品とフレキシブル基板の余長を吸収するスペースの確保が撮像装置本体を大型化させてしまう要因となっていた。特にポップアップ機構は撮像装置の高さ方向の大型化の要因となる。
【０００４】
そこで、特許文献１では、発光部が収納位置の状態で、カメラ本体と発光部を接続する連結部の一部が発光部の厚み内に収納されるように構成することでカメラの小型化を図っている。
【先行技術文献】
【特許文献】
【０００５】
【特許文献１】特開２０１０−１５１７９号公報
【発明の概要】
【発明が解決しようとする課題】
【０００６】
しかしながら、上述の特許文献１に開示されたカメラでは、フレキシブル基板の余長を吸収するスペースが十分に確保できず、フレキシブル基板の曲率が大きくなる等、無理な曲がり方によるストレスで信号線の断線が発生するおそれがある。
【０００７】
そこで、本発明の目的は、機器の大型化を抑えて、電気配線へのストレスを軽減させることが可能な電子機器を提供することである。
【課題を解決するための手段】
【０００８】
上記目的を達成するために、本発明にかかる電子機器は、ベース部材と、前記ベース部材と第１の回動軸を介して連結され、前記第１の回動軸を中心にして前記ベース部材と相対的に回動可能な第１の可動部と、前記第１の可動部と第２の回動軸を介して連結され、前記第２の回動軸を中心にして前記第１の可動部と相対的に回動可能な第２の可動部と、制御基板と、前記第２の可動部と前記制御基板とに接続された電気配線と、前記制御基板における前記電気配線が接続される面の反対側に延出し前記電気配線を押さえる押さえ部材と、を有することを特徴とする。
【発明の効果】
【０００９】
本発明によれば、機器の大型化を抑えて、電気配線へのストレスを軽減させることができる。
【図面の簡単な説明】
【００１０】
【図１】本発明にかかる撮像装置であるカメラ１０を正面側から見た外観斜視図である。
【図２】本発明にかかる発光装置であるストロボ装置２００の分解斜視図である。
【図３】ストロボ装置２００が収納位置に位置する状態の斜視図である。
【図４】図３におけるストロボ装置２００のＤ−Ｄ断面を示す図である。
【図５】図３におけるストロボ装置２００のＥ−Ｅ断面、Ｆ−Ｆ断面を示す図である。
【図６】ストロボ装置２００が発光位置に位置する状態の断面図である。
【発明を実施するための形態】
【００１１】
以下に、本発明の好ましい形態を、添付の図面に基づいて詳細に説明する。図１は本発明にかかる電子機器であるカメラ１０を正面側から見た外観斜視図である。図１（ａ）は、発光装置であるストロボ装置２００が収納位置に位置する状態を示していて、図１（ｂ）は、ストロボ装置２００が発光位置に位置する状態を示している。
【００１２】
図１において、カメラ１０の内部には、光学像を光電変換して画像データを生成するＣＣＤやＣＭＯＳイメージセンサ等の撮像素子１００が配置されている。撮像素子１００で生成した画像データは、カメラ１０に実装された信号処理基板（不図示）の処理回路によりデジタル情報に変換される。
【００１３】
カメラ１０の正面側（被写体側）はフロントカバー１１０で覆われている。フロントカバー１１０にはカメラ１０を把持しやすいように指掛りとなるグリップ部１１１が設けられている。一方、カメラ１０の背面側（撮影者側）はリアカバー１２０で覆われており、不図示の操作部材や表示部が配置されている。カメラ１０の上面側はトップカバー１３０で覆われている。トップカバー１３０には電源レバー１３１が回動可能に配置されており、動作状態（電源オン状態）と非動作状態（電源オフ状態）の切り替え操作を行う。また、トップカバー１３０の前側には撮影準備および撮影操作の指示を行うレリーズボタン１３２が配置されている。レリーズボタン１３２を半押し操作すると、撮影準備動作（測光動作や測距動作等）が開始される。レリーズボタン１３２を全押し操作すると、被写体を撮影し、撮像素子１００で画像データが生成され、記録媒体収納室に挿着した記録媒体に被写体像の画像データを記録する。レリーズボタン１３２の外周部には、レリーズボタン１３２を中心に３６０度回転し、各種パラメータを変更する電子ダイヤル１３３が配置されている。電子ダイヤルより背面側にはマニュアルモード、絞り優先モード、シャッター速度優先モード、動画モードなど様々なモードを切り替えることができるモードダイヤル１３４が配置されている。トップカバー１３０の中央には、外部ストロボ等の様々なアクセサリを取り付けることが可能なアクセサリシュー１３５が配置され、アクセサリシュー１３５のとなりに発光装置であるストロボ装置２００が配置されている。
【００１４】
次に、図２から図４を参照して、ストロボ装置２００の構成について説明する。図２はストロボ装置２００の分解斜視図、図３はストロボ装置２００がカメラ１０の本体部に収納される収納位置に位置する状態の斜視図、図４は図３におけるストロボ装置２００のＤ−Ｄ断面を示す図である。
【００１５】
ストロボ装置２００は、ベース部材２０１、発光部３００、ベース部材２０１と発光部３００を連結する連結部４００を有する。ベース部材２０１は、ストロボ装置２００のポップアップ機構の土台となる部品である。発光部３００（第２の可動部）は、光源や反射傘などを有する発光ユニット２０２、発光ユニット２０２を保持するためのホルダー２０３、カバー部材２０４から構成される。ホルダー２０３とカバー部材２０４は、発光ユニット２０２を上下から挟み込んだ状態で保持し、両側面から一対のビス２０５で締結される。
【００１６】
連結部４００（第１の可動部）は、発光部３００を所定の発光位置まで移動させるためにベース部材２０１とホルダー２０３を連結するアーム部材２０６、後述するフレキシブル基板２１３を保護する保護カバー２０８により構成される。保護カバー２０８は、アーム部材２０６にビス２０７で固定される。アーム部材２０６は、ベース部材２０１に対して回動するための軸となる回動軸２０９（第１の回動軸）を保持する軸受け部２０６ａを有し、ベース部材２０１に対して回動可能に支持される。すなわち、アーム部材６は、ベース部材２０１と回動軸２０９を介して連結され、回動軸２０９を中心にしてベース部材２０１と相対的に回動可能である。回動軸２０９には、連結部４００をベース部材２０１に対して回動方向Ａに付勢するトーションバネ２１１が設けられており、一端がベース部材２０１、他端がアーム部材２０６に取り付けられている。アーム部材２０６は、ホルダー２０３がアーム部材２０６に対して回動するための軸となる回動軸２１０（第２の回動軸）を保持する軸受け部２０６ｂを有し、ホルダー２０３に対して回動可能に支持される。すなわち、ホルダー２０３は、アーム部材２０６と回動軸２１０を介して連結され、回動軸２１０を中心にしてアーム部材２０６と相対的に回動可能である。回動軸２１０には、発光部３００を連結部４００に対して回動方向Ｂに付勢するトーションバネ２１２が設けられており、一端がアーム部材２０６、他端がホルダー２０３に取り付けられている。
【００１７】
電気配線であるフレキシブル基板２１３は、発光ユニット２０２を発光させるための電気信号を伝達し、その表面の一部が漏電を防止するための絶縁シート２１４で覆われている。フレキシブル基板２１３の一端は発光ユニット２０２に接続され、他端は後述するストロボ基板２１５に実装されたコネクタ２１５ａへ接続される。ストロボ基板２１５は、発光ユニット２０２の発光などを制御する電気回路部品が実装された制御基板で、フレキシブル基板２１３がコネクタ２１５ａに接続されることで、発光ユニット２０２と電気的に接続される。ストロボ基板２１５には他にもオートフォーカスを補助するための光を投射するＬＥＤ２１５ｂが実装されている。ストロボ基板２１５の前面にはＬＥＤ２１５ｂから投射された光がカメラ１０の本体内部に漏れないように遮光したり、フレキシブル基板２１３をガイドするための樹脂製の押さえ部材２１６が配置されている。押さえ部材２１６は、フレキシブル基板２１３のストロボ基板２１５への接続方向に対して、直交するように形成されている。押さえ部材２１６は、ストロボ基板２１５におけるフレキシブル基板２１３が接続される面の反対側に延出しフレキシブル基板２１３を押さえる。押さえ部材２１６には、フレキシブル基板２１３を挟んで両側にベース部材２０１に設けられた位置決めダボ２０１ａ、２０１ｂに対応した丸穴２１６ａと長穴２１６ｂが形成されている。押さえ部材２１６は丸穴２１６ａと長穴２１６ｂによってベース部材２０１に対して位置決めされ、丸穴２１６ａ側においてビス２１７によってストロボ基板２１５と共にベース部材２０１に締結される。押さえ部材２１６は、丸穴２１６ａ側でのみビス締結されている（一方の端が固定されていない）ため、片持ち構造となっていて、フレキシブル基板２１３の面方向に弾性変形し易い構造となっている。ベース部材２０１の側面にはベース部材２０１に対してスライド可能に取り付けられたロックレバー２１８と、ロックレバー２１８を矢印Ｃ方向に付勢する圧縮バネ２１９が配置されている。
【００１８】
図４（ａ）はロックレバー２１８の非操作状態を示す図である。ロックレバー２１８は、ホルダー２０３に設けられた係止爪２０３ａを係止することで、発光部３００及び連結部４００を収納位置に保持している。図４（ｂ）はロックレバー２１８の操作状態を示す図である。ユーザがロックレバー２１８を圧縮バネ２１９の付勢方向と逆方向にスライドさせると、係止爪２０３ａの係止が解除され、トーションバネ２１１とトーションバネ２１２の付勢力によって発光部３００は発光位置まで移動する。カバー部材２２１はロックレバー２１８がベース部材２０１から脱落しないように、ビス２２０でベース部材２０１に締結されている。
【００１９】
次に、図５を参照してストロボ装置２００が収納位置に位置する状態について説明する。図５（ａ）は図３におけるストロボ装置２００のＥ−Ｅ断面、図５（ｂ）は図３におけるストロボ装置２００のＦ−Ｆ断面を示す図である。
【００２０】
図５（ａ）、（ｂ）に示す状態では、ホルダー２０３の係止爪２０３ａはロックレバー２１８に係止され、ストロボ装置２００は収納位置に位置する状態となっている。図５（ａ）に示すように、ベース部材２０１には、凹部２０１ｃが形成されており、発光部３００と連結部４００が凹部２０１ｃに収納される。また、発光ユニット２０２の背面側に形成されたホルダー２０３の凹部２０３ｂにアーム部材２０６の軸受部２０６ｂを収納することで省スペース化し、ストロボ装置２００の高さ方向の厚みを示す幅Ｇを小さくすることができる。
【００２１】
図５（ｂ）に示すように、ベース部材２０１にはフレキシブル基板２１３をカメラ１０の本体内部へ導く開口２０１ｄが形成されている。発光ユニット２０２に接続されたフレキシブル基板２１３は回動軸２１０の外側を通り、アーム部材２０６と保護カバー２０８の間を通ってガイドされ、ベース部材２０１の開口２０１ｄよりカメラ１０の本体内部へ導かれる。そして、ストロボ基板２１５に実装されたコネクタ２１５ａへ接続される。アーム部材２０６と保護カバー２０８は、ストロボ基板２１５へのフレキシブル基板２１３の接続方向と略直交する方向にフレキシブル基板２１３をガイドしている。
【００２２】
ベース部材２０１の開口２０１ｄ近傍において、フレキシブル基板２１３は曲部２１３ａを有している。曲部２１３ａはフレキシブル基板２１３の余長、つまり、フレキシブル基板２１３が発光位置で必要な長さと収納位置で必要な長さの差分を吸収するために設けられている。ストロボ装置２００を小型化することにより、ベース部材２０１の開口２０１ｄ近傍でフレキシブル基板２１３の余長を吸収できるスペースは減少する。そのため、押さえ部材２１６を用いて、フレキシブル基板２１３に新たな曲部２１３ｂを設けている。具体的には、押さえ部材２１６には円弧形状の凸部２１６ｃが形成されており、凸部２１６ｃは保護カバー２０８の端部２０８ａよりもカメラ１０の背面側に延出している。併せて、ストロボ基板２１５にはフレキシブル基板２１３を収容するための切欠き部２１５ｃが設けられており、凸部２１６ｃはストロボ基板２１５の切欠き部２１５ｃにおいて、ストロボ基板２１５の板厚内に延出している。すなわち、押さえ部材２１６は、切欠き部２１５ｃの位置にてストロボ基板２１５におけるフレキシブル基板２１３が接続される面の反対側に延出している。
【００２３】
このような構成によって、フレキシブル基板２１３をストロボ基板２１５の板厚内に押し込み、曲部２１３ａと曲部２１３ｂとでフレキシブル基板２１３にＳ字形状を形成させている。押さえ部材２１６は前述した通り、片持ち構造となっていて、凸部２１６ｃによりフレキシブル基板２１３を弾性的に押さえている。そのため、ストロボ装置２００が収納位置と発光位置との間で移動する際に、フレキシブル基板２１３の曲部２１３ｂが矢印Ｈ方向に煽られると、押さえ部材２１６は弾性変形して矢印Ｈ方向に浮き上がる。また、フレキシブル基板２１３の長さが変化した場合、曲部２１３ｂで余長を調節することができる。つまり、ストロボ装置２００が収納位置と発光位置との間で移動する際に、曲部２１３ｂは曲率が小さくなり、押さえ部材２１６は矢印Ｈ方向に浮き上がる。
【００２４】
以上のように、押さえ部材２１６を設け、ストロボ基板２１５の板厚内に曲部２１３ｂを追加することによって、小さいスペースでフレキシブル基板２１３の余長を吸収することができる。また、押さえ部材２１６を弾性変形可能にしたので、曲部２１３ｂを容易に伸ばすことができ、フレキシブル基板２１３へのストレスを軽減できる。
【００２５】
次に、図６を参照して、ストロボ装置２００が発光位置に位置する状態について説明する。図６はストロボ装置２００の発光位置での断面図である。図６では、ロックレバー２１８へのユーザの操作により、ロックレバー２１８とホルダー２０３の係止爪２０３ａとの係止が解除され、ストロボ装置２００は発光位置に位置する状態となっている。この状態では、トーションバネ２１１のバネ力により連結部４００は回動方向Ａ（図２参照）に、トーションバネ２１２のバネ力により発光部３００は回動方向Ｂ（図２参照）に所定の開き角度まで回動する。アーム部材２０６の軸受け部２０６ａ近傍に回動のストッパーとなる凸部２０６ｃが形成されている。凸部２０６ｃが、ベース部材２０１に形成され凸部２０６ｃに対応したストッパーとして機能するストッパー部２０１ｅに当接することで、連結部４００はベース部材２０１に対して所定の開き角度で停止している。同じく、アーム部材２０６の軸受け部２０６ｂ近傍に回動のストッパーとなる凸部２０６ｄが形成されている。凸部２０６ｄが、ホルダー２０３に形成され凸部２０６ｄに対応したストッパーとして機能するストッパー部２０３ｃに当接することで、発光部３００は連結部４００に対して所定の開き角度で停止している。この結果、発光部３００は所定の開き角度で停止し、発光可能な状態となっている。
【００２６】
図６に示すように、ストロボ装置２００が発光位置に位置する状態では、収納位置に位置する状態に比べて、フレキシブル基板２１３の曲部２１３ａ、２１３ｂの曲がり具合は小さくなっている。このように、フレキシブル基板２１３に曲部２１３ａ、２１３ｂを設けることで、曲部が１箇所の場合よりも曲部の曲率を小さくすることができる。
【００２７】
以上説明したように、本実施形態によれば、機器の大型化を抑えて、電気配線へのストレスを軽減させることができる。
【００２８】
なお、本発明はこれらの実施形態に限定されず、その要旨の範囲内で種々の変形及び変更が可能である。本実施形態ではフレキシブル基板によって接続される第２の可動部の例として発光部３００を説明したが、スルー画や再生画像を表示するための液晶パネル等の表示ユニットを第２の可動部としても本発明は適用可能である。このような構成の場合、フレキシブル基板に接続される制御基板で表示ユニットを制御する。以上のように、本発明が適用可能な電子機器は、撮像装置に限らず表示装置なども含む。
【００２９】
また、ストロボ基板２１５を発光ユニット２０２の前面側に発光ユニット２０２と直交するように配置しているが、発光ユニットの２０２の真下や背面側に配置してもよく、発光ユニット２０２と平行に配置してもよい。
【００３０】
また、押さえ部材２１６を片持ち構造とすることで、フレキシブル基板２１３を弾性的に押さえているが、押さえ部材２１６を弾性部材で形成し、フレキシブル基板２１３を挟んだ両側をビス等で固定してもよい。
【符号の説明】
【００３１】
２０１  ベース部材
２０２  発光ユニット
２０９  第１の回動軸
２１０  第２の回動軸
２１３  フレキシブル基板
２１５  ストロボ基板
２１６  押さえ部材
３００  第２の可動部
４００  第１の可動部
【図１】
2019200246.tif 000003
【図２】
2019200246.tif 000004
【図３】
2019200246.tif 000005
【図４】
2019200246.tif 000006
【図５】
2019200246.tif 000007
【図６】
2019200246.tif 000008